【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】  医用移植片用のワイヤー越しインターロック装着／分離機構であって、該機構は、以下の部分を含む：
オスロッキング本体部材であって、該オスロッキング本体部材は、前端を有する；
可撓性ロッキング支持体であって、該可撓性ロッキング支持体は、その上にロッキング部材が形成されており、該ロッキング部材は、該オスロッキング本体部材の該前端から伸長しており、該可撓性ロッキング支持体は、拘束されていないとき、該オスロッキング本体部材から外向きに、側方に角度を付けて伸長している；および
該ロッキング部材を受容するメスロック受容本体部材であって、該メスロック受容本体部材は、第一本体末端を有し、そしてインデント部分と共に形成され、該インデント部分は、該ロッキング部材を受容し係合するために、該第一本体末端と隣接している、
機構。
【請求項２】  前記メスロック受容本体部材が、前記医用移植片に固定されている、請求項１に記載のワイヤー越しインターロック装着／分離機構。
【請求項３】  ロック作動鞘が、前記オスロッキング本体部材上に滑るように取り付けられ、該ロック作動鞘が、前記可撓性ロッキング支持体と係合して該ロッキング支持体を該オスロッキング本体部材に向かって内向きに移動するように作動する、請求項１に記載のワイヤー越しインターロック装着／分離機構。
【請求項４】  前記オスロッキング本体部材および前記メスロック受容本体部材が、実質的に同じ直径の円筒形部材である、請求項１に記載のワイヤー越しインターロック装着／分離機構。
【請求項５】  ロック作動鞘が、前記オスロッキング本体部材上で滑るように取り付けられ、該ロック作動鞘が、前記可撓性ロッキング支持体と係合して該ロッキング支持体を該オスロッキング本体部材に向かって内向きに移動するように作動する、請求項４に記載のワイヤー越しインターロック装着／分離機構。
【請求項６】  前記メスロック受容本体部材が、前記医用移植片に固定されている、請求項５に記載のワイヤー越しインターロック装着／分離機構。
【請求項７】  複数の間隔を置いて配置した可撓性ロッキング支持体が、前記オスロッキング本体部材の前記前端から伸長しており、該間隔を置いて配置した可撓性ロッキング支持体の各々が、細長可撓性ロッキングアームにより形成され、該細長可撓性ロッキングアームが、該オスロッキング本体部材に連結された第一アーム末端を有し、該細長可撓性ロッキングアームが、拘束されていないとき、該第一アーム末端から外向きに角度を付けて伸長している、請求項１に記載のワイヤー越しインターロック装着／分離機構。
【請求項８】  ロッキング部材が、各細長可撓性ロッキングアーム上で形成され、その前記第一アーム末端から間隔を置いて配置され、そして前記オスロッキング本体部材の前記前端を外向きに形成し、
前記メスロック受容本体部材が、インデント部分と共に形成され、該インデント部分は、該ロッキング部材を受容し係合するために、前記第一本体末端と隣接している、請求項７に記載のワイヤー越しインターロック装着／分離機構。
【請求項９】  各細長可撓性ロッキングアームが、その前記第一アーム末端から間隔を置いて配置した自由端を有し、前記ロッキング部材が、該細長可撓性ロッキングアームの該自由端で、成形細長部分により形成されている、請求項８に記載のワイヤー越しインターロック装着／分離機構。
【請求項１０】  前記オスロッキング本体部材および前記メスロック受容本体部材が、実質的に同じ直径の円筒形部材である、請求項９に記載のワイヤー越しインターロック装着／分離機構。
【請求項１１】  ロック作動鞘が、前記オスロッキング本体部材上で滑るように取り付けられ、該ロック作動鞘が、前記可撓性ロッキングアームと係合して前記細長可撓性ロッキングアームおよび前記ロッキング部材を該オスロッキング本体部材に向かって内向きに移動するように作動する、請求項１０に記載のワイヤー越しインターロック装着／分離機構。
【請求項１２】  前記メスロック受容本体部材が、切り取られて、前記インデント部分を形成する間隔開口部を提供し、該各間隔開口部が、可撓性ロッキングアームおよびその上に形成された前記ロッキング部材を受容するように形成されている、請求項１１に記載のワイヤー越しインターロック装着／分離機構。
【請求項１３】  前記各間隔開口部が、細長開放端入口セクションを含み、該細長開放端入口セクションが、細長可撓性ロッキングアームおよび細長ロッキング切り取り部を受容するように成形され、該細長ロッキング切り取り部が、該細長開放端入口セクションに連結され、そして前記ロッキング部材を受容してそれと形状が適合するように成形されている、請求項１２に記載のワイヤー越しインターロック装着／分離機構。
【請求項１４】  前記可撓性ロッキング支持体が、少なくとも１本の細長可撓性ロッキングアームを含み、該細長可撓性ロッキングアームが、前記オスロッキング本体部材に連結された第一端を有し、該細長可撓性ロッキングアームが、拘束されていないとき、該第一アーム端から外向きに、角度を付けて伸長しており、該ロッキング部材が、該細長可撓性ロッキングアーム上に形成されており、そして
ここで、少なくとも１本の細長ガイドフィンガーが、前記オスロッキング本体部材の前記前端から伸長しており、
前記メスロック受容本体部材が切り取られて、複数の間隔開口部を提供し、各々が、細長可撓性ロッキングアームおよびロッキング部材またはガイドフィンガーを受容するように形成されている、請求項１に記載のワイヤー越しインターロック装着／分離機構。
【請求項１５】  前記メスロック受容本体部材が、前記医用移植片に固定されている、請求項１４に記載のワイヤー越しインターロック装着／分離機構。
【請求項１６】  ロック作動鞘が、前記オスロッキング本体部材上で滑るように取り付けられ、該ロック作動鞘が、前記少なくとも１本の細長可撓性ロッキングアームと係合して、該細長可撓性ロッキングアームおよび前記ロッキング部材を該オスロッキング本体部材に向かって内向きに移動するように作動する、請求項１４に記載のワイヤー越しインターロック装着／分離機構。
【請求項１７】  前記各間隔開口部が、細長開放端入口セクションを含み、該細長開放端入口セクションが、細長可撓性ロッキングアームまたはガイドフンガーおよび細長ロッキング切り取り部を受容するように成形され、該細長ロッキング切り取り部が、該細長開放端入口セクションに連結され、そして前記ロッキング部材を受容してそれと形状が適合するように成形されている、請求項１６に記載のワイヤー越しインターロック装着／分離機構。
【請求項１８】  複数の間隔を置いて配置した細長可撓性ロッキングアームおよび複数の間隔を置いて配置した細長ガイドフィンガーを含み、前記メスロック受容本体部材が該細長可撓性ロッキングアームおよび該細長ガイドフィンガーの数と少なくとも等しい数で、複数の間隔開口部を含む、請求項１７に記載のワイヤー越しインターロック装着／分離機構。
【請求項１９】  前記オスロッキング本体部材および前記メスロック受容本体部材が、実質的に同じ直径の円筒形部材である、請求項１８に記載のワイヤー越しインターロック装着／分離機構。
【請求項２０】  前記医用移植片が、自立ワイヤー越しフィルターである、請求項２に記載のワイヤー越しインターロック装着／分離機構。
【請求項２１】  医用移植片送達システムであって、該システムは、以下：
ロッキング機構を含む、哺乳動物の血管に挿入するためのサイズおよび形状にされたロッキング機構；および
該ロッキング機構の上を滑るように配置され、該ロッキング部材が第１の状態と第２の状態との間を可逆的に繰り返し移動することを可能にする鞘であって、ここで該鞘は、該ロッキング部材の上を滑るときに、該第１の状態に該ロッキング部材を固定し、該ロッキング部材から離れて滑るときに、該第２の状態へ該ロッキング部材を解放する、鞘、
を含む、システム。
【請求項２２】  前記ロッキング部材は、前記第１の状態において、前記ロッキング機構の長手軸に対して実質的に平行に伸長している、請求項２１に記載の送達システム。
【請求項２３】  前記ロッキング部材は、前記第２の状態において、前記ロッキング機構の長手軸から外向きに、角度を付けて伸長している、請求項２１に記載の送達システム。
【請求項２４】  前記ロッキング部材は、その自由端において拡大部を含む、請求項２１に記載の送達システム。
【請求項２５】  前記拡大部は、実質的に円形である、請求項２４に記載の送達システム。
【請求項２６】  前記ロッキング機構は、該ロッキング機構の長手軸に対して実質的に等間隔に配置されている複数のロッキング部材を含む、請求項２１に記載の送達システム。
【請求項２７】  前記ロッキング部材を受容する、前記移植片中の切り取り部を通って前記ロッキング機構に取り付けられた移植片をさらに含む、請求項２１に記載の送達システム。
【請求項２８】  前記移植片は、オクルダー、フィルター、およびステントからなる群より選択される、請求項２７に記載の送達システム。
【請求項２９】  前記移植片および前記ロッキング機構は、前記ロッキング部材が前記切り取り部に受容されるときに、軸方向に整列される、請求項２７に記載の送達システム。
【請求項３０】  ガイドワイヤをさらに含む、請求項２１に記載の送達システム。
【請求項３１】  可撓性セクションをさらに含む、請求項２１に記載の送達システム。